(57)【要約】　　　（修正有）【課題】クラブヘッドによるボールのインパクト時の変形抵抗を極力少なくしてエネルギーロスを減らし、飛距離を延ばすとともに、クラブヘッドの振り抜き抵抗も減少させて、ボールの方向性の狂いを少なくし得るゴルフ用ティーを提供すること。【解決手段】中心部に硬質材料製のピン１を嵌挿するための貫通孔２を有する基部３と、基部の上面周囲に周方向に分割離隔して立設配置された複数本の支柱部４とからなり、少なくとも支柱部４が弾性を有する軟質材料で構成されている。【選択図】　　　図１
0003097281.tif 000002
【実用新案登録請求の範囲】
【請求項１】
中心部に硬質材料製のピンを嵌挿するための貫通孔を有する基部と、基部の上面周囲に周方向に分割離隔して立設配置された複数本の支柱部とからなり、少なくとも支柱部が弾性を有する軟質材料で構成されていることを特徴とするゴルフ用ティー。
【請求項２】
中心部に硬質材料製のピンを嵌挿するための貫通孔を有する基部と、基部の上面周囲に周方向に分割離隔して立設配置された複数本の支柱部とからなり、基部及び支柱部が弾性を有する軟質材料で一体に構成されていることを特徴とするゴルフ用ティー。
【請求項３】
前記基部は、環状とされ、貫通孔が下向きに縮径するほぼ円錐状とされていることを特徴とする請求項１又は２に記載のゴルフ用ティー。
【請求項４】
前記支柱部は、前記貫通孔の中心から同一半径上に周方向等間隔で設けられており、高さが同一とされ、上面が各支柱部の配列中心部に向けて低くなる傾斜面とされていることを特徴とする請求項１〜３の何れかに記載のゴルフ用ティー。
【請求項５】
前記支柱部は、高さが５ｍｍ〜４０ｍｍの範囲内とされていることを特徴とする請求項１〜４の何れかに記載のゴルフ用ティー。
【請求項６】
前記支柱部は、高さ方向全長に亘って同一太さとされていることを特徴とする請求項１〜５の何れかに記載のゴルフ用ティー。
【請求項７】
前記支柱部は、高さ方向の上部が細く、下部が太くされ、その際、上端から下端に向けて次第に太くされ、又は、途中から下方が太くされていることを特徴とする請求項１〜５の何れかに記載のゴルフ用ティー。
【請求項８】
前記支柱部は、下端が環状の基部の上端の径方向肉厚とほぼ同一の太さとされていることを特徴とする請求項６又は７に記載のゴルフ用ティー。
【請求項９】
前記軟質材料は、シリコンゴムとされていることを特徴とする請求項１〜８の何れかに記載のゴルフ用ティー。
【考案の詳細な説明】
【０００１】
【考案の属する技術分野】
本考案は、ゴルフクラブでゴルフボールを打つ際に、ゴルフボールを地上に安定状態に載置して使用されるゴルフ用ティーに関するものである。
【０００２】
【従来の技術】
従来、各種の硬質材料製のゴルフ用ティーの改良提案がなされている。例えば、実開平１−１３８４７４号公報（以下、公知文献１と称す）は、硬質資材でティーペッグ部分を構成し、、クラブヘッドによるボール打込みの際にティーが自由に曲がるようにして、クラブのヘッドスペードをそのままボールに伝わるようにし、ボールの飛距離を延ばし、ティーの折損やティーによるクラブヘッドの損傷を防止するようにしている。
【０００３】
また、特開平６−２１００３２号公報（以下、公知文献２と称す）は、ティグランドに挿し込まれる剛性部材よりなり外周にスパイラル状凹凸部を形成した木ねじ状下部部材と、可撓性と弾力性と復元性を有し、上面にボール載置部を設けたゴム状上部部材と、下部部材と上部部材の接点部外周に突設した座板とをねじ及び接着剤で一体化したゴルフティを提案し、木ねじ状下部部分をティグランドに挿し込み、ゴム状上部部材の上面にボールを載置してゴルフクラブでボールの打ち込みをした際、ティが地面から抜け飛ばず上部部材が元の位置に戻るようにして、インパクトからフォロースルーまでゴルファーの眼がティを目視し続け得るようにすることによって、ヘッドアップせずにクラブを自然に振り抜けるようにし、飛距離を延ばし、打球方向も正確にし、ティの紛失も防止するようにしている。
【０００４】
また、特開平８−１１２３８１号公報（以下、公知文献３と称す）は、先端の尖った突刺軸部の他端側に軟質合成樹脂又は軟質ゴムで凹局面を有する皿状に構成された直径が２５ｍｍ〜４０ｍｍのボール載置部を備えたゴルフ用ティを提案し、ティ・ショット時に打球にバックスピンがかからず、普通の打球よりも距離の出る、いわゆるフライヤ現象を生じさせ得るようにしている。
また、登録実用新案第３０３８１５２号公報（以下、公知文献４と称す）は、台座部の表面に、複数本の支持材を直立状態で一体に植設し、全体を弾力性のある合成樹脂、合成若しくは天然ゴムで成形したゴルフ用ティーを提案し、台座部によって地面にボールを安定支持させショットをし易くし、冬季のように地面が凍結して硬くなっている場合でも、地面に置いて使用できるようにし、また、台座部の下面中央に脚片を下向きに一体に植設して地面に刺せるようにし、ショット時、ティーが跳んで紛失することを防止するようにしている。
【０００５】
また、登録実用新案第３０６０４９６号公報（以下、公知文献５と称す）は、下端を尖らせた脚部の上端に、脚部より大径のゴルフボール受座を形成した硬質プラスチックからなるゴルフ用ティーを、円形座板の上面中心に突出した円形突起の上端に、凹陥部を形成して上端面をリング状のグラウンドゴルフボール受座としたゴム又は軟質プラスチックからなるグラウンドゴルフ用ティーの、円形突起の軸心部に貫通孔を設けて、上記ゴルフ用ティーの脚部を挿通し、凹陥部にゴルフボール受座を収容して、ゴルフ用ティーの脚部とグラウンドゴルフ用ティーの貫通孔を接着固定したゴルフ・グラウンドゴルフ兼用ティーを提案し、打球時に抜け飛んでも円形座板による空気抵抗が大きいので遠くへ飛ばず、周囲の人に当たることがなく安全であり、しかも、打球時にクラブヘッドが当たるのは柔軟質の円形突起部であり、緩衝作用が働いて硬質なゴルフ用ティーを折ることが少なく、何回も使用できて経済的としたものである。
【０００６】
また、特開２００１−２８６５８９号公報（以下、公知文献６と称す）は、ゴルフボールが載せられる軟質ゴム製の台座部と、地中に挿し込まれる硬質プラスチック製の差し込み部とを軟質ゴムパイプ製の連結部材でフレキシブルに連結したゴルフティーを提案し、打球時のインパクトの抵抗を少なくし、飛距離を容易に延ばすことができ、ボールの方向性を良好とし、ティーの紛失・損傷を少なくするようにしている。
【０００７】
【考案が解決しようとする課題】
前記公知文献１のものは、ボールを載せる部分をゴム又は軟質プラスチックのチューブで構成しているため、クラブヘッドによるボールのインパクト時、変形抵抗が大きく、その分、エネルギーロスが発生し、飛距離を短くするとともに、クラブヘッドの振り抜きにも抵抗となるため、ボールの方向性にも悪影響を与える等の問題点がある。
また、前記公知文献２のものは、ゴム状上部部材が円柱形状であるため、クラブヘッドによるボールのインパクト時の変形抵抗が前記公知文献１のものよりさらに大きく、その分、エネルギーロスが発生し、飛距離を短くするとともに、クラブヘッドの振り抜きにも抵抗となるため、ボールの方向性にも悪影響を与える等の問題点がある。
【０００８】
また、前記公知文献３のものは、ボール載置部が柔軟質材からなるが、浅い皿状であるため、クラブヘッドによるボールのインパクト時、硬質の突刺軸部を叩くことが多発し、その分、エネルギーロスが発生し、飛距離を短くするとともに、クラブヘッドの振り抜きにも抵抗となるため、ボールの方向性にも悪影響を与える等の問題点がある。
また、前記公知文献４のものは、円盤状台座部の上面に複数本の支持材を植立しただけのものの場合では、クラブヘッドによるボールのインパクト時、ティーがボールとともに飛ばされて紛失し易く、多数の予備品を準備携行しなければならず、極めて不経済である。また、ティーが地面に固定されていないため、クラブヘッドによるボールのインパクトの瞬間の風圧でボールとティーが一緒に動くことが避けられず、インパクト力が減殺されて飛距離が短くなるだけでなく、打点位置のずれ易く、方向性が狂い、ミスショットが発生し易い等の問題点がある。なお、公知文献４のものにおいて、円盤状台座部の下面中央に脚部を一体に形成したものの場合では、脚部が支持材と同じ柔軟質材からなるため、ティーグランドへの差込みが容易でなく、また、仮に、地面への差込みができたとしても、クラブヘッドによるボールのインパクト時の衝撃で脚部の付根が千切れて使用不能となる等の問題点がある。
【０００９】
また、前記公知文献５のものは、グラウンドゴルフ用ティーの円形突起が軟質材からなるが、ボール受座が硬質材からなるゴルフ用ティーのゴルフボール受座と同一高さにあるため、クラブヘッドによるゴルフボールのインパクト時、硬質材のティー頭部を叩くことになり、その分、エネルギーロスが発生し、飛距離を短くするとともに、クラブヘッドの振り抜きにも抵抗となるため、ボールの方向性にも悪影響を与える等の問題点がある。
また、前記公知文献６のものは、台座部及び連結部材が軟質材からなるが、台座部が円柱状であるため、クラブヘッドによるボールのインパクト時の変形抵抗が前記公知文献１のものよりさらに大きく、その分、エネルギーロスが発生し、飛距離を短くするとともに、クラブヘッドの振り抜きにも抵抗となるため、ボールの方向性にも悪影響を与える等の問題点がある。
【００１０】
そこで、本考案は、クラブヘッドによるボールのインパクト時の変形抵抗を極力少なくしてエネルギーロスを減らし、飛距離を延ばすとともに、クラブヘッドの振り抜き抵抗も減少させて、ボールの方向性の狂いを少なくし得るゴルフ用ティーを提供することを課題としている。
【００１１】
【課題を解決するための手段】
本考案のゴルフ用ティーは、中心部に硬質材料製のピンを嵌挿するための貫通孔を有する基部と、基部の上面周囲に周方向に分割離隔して立設配置された複数本の支柱部とからなり、少なくとも支柱部が弾性を有する軟質材料で構成されていることを特徴としている。
この構成によれば、ゴルフボールを支持する支柱部が、従来のチューブ状のものの如く環状に連続しておらず、また、円柱状でもなく、周方向に複数本に分割離隔して立設配置されており、しかも、弾性を有する軟質材料で構成されているため、クラブヘッドによるボールのインパクト時の変形抵抗を極力少なくしてエネルギーロスを減らし、飛距離を延ばすとともに、クラブヘッドの振り抜き抵抗も減少させて、ボールの方向性の狂いを少なくし得るゴルフ用ティーを提供することができる。
【００１２】
また、本考案のゴルフ用ティーは、中心部に硬質材料製のピンを嵌挿するための貫通孔を有する基部と、基部の上面周囲に周方向に分割離隔して立設配置された複数本の支柱部とからなり、基部及び支柱部が弾性を有する軟質材料で一体に構成されていることを特徴としている。
この構成によれば、ゴルフボールを支持する支柱部が、従来のチューブ状のものの如く環状に連続しておらず、また、円柱状でもなく、周方向に複数本に分割離隔して立設配置されており、しかも、弾性を有する軟質材料で構成されているため、クラブヘッドによるボールのインパクト時の変形抵抗を極力少なくしてエネルギーロスを減らし、飛距離を延ばすとともに、クラブヘッドの振り抜き抵抗も減少させて、ボールの方向性の狂いを少なくし得るゴルフ用ティーを提供することができ、また、製作が簡単となり、低コストで提供し得る。
【００１３】
また、本考案の前記基部は、環状とされ、貫通孔が下向きに縮径するほぼ円錐状とされていることを特徴としている。
この構成によれば、市販のゴルフ用ティーの頭部下面の円錐形状部を基部の貫通孔にピッタリ適合させて嵌挿して使用することができ、これによって、支柱部上にゴルフボールを安定して支持することができる。
また、本考案の前記支柱部は、前記貫通孔の中心から同一半径上に周方向等間隔で設けられており、高さが同一とされ、上面が各支柱部の配列中心部に向けて低くなる傾斜面とされていることを特徴としている。
【００１４】
この構成によれば、ティーの地面への差込み位置と同心状にゴルフボールを安定して支持させることができる。
また、本考案の前記支柱部は、高さが５ｍｍ〜４０ｍｍの範囲内とされていることを特徴としている。
この構成によれば、支柱部の高さが５ｍｍ以下では、クラブヘッドによるボールのインパクト時、該クラブヘッドが基部及び硬質材料製のピン頭部を叩く可能性が増え、クラブヘッドによるボールのインパクト時の変形抵抗が増加し、飛距離が延びず、クラブヘッドの振り抜き抵抗も増加し、ボールの方向性にも悪影響がある。また、支柱部の高さが４０ｍｍ以上では、支柱部が座屈し易くなり、ゴルフボールを安定して支持できなくなり、これを回避するために、例えば、支柱部を太くしたり、或いは、剛性を高くすると、クラブヘッドによるボールのインパクト時の変形抵抗が増加し、飛距離が延びず、クラブヘッドの振り抜き抵抗も増加し、ボールの方向性にも悪影響がある。
【００１５】
また、本考案の前記支柱部は、高さ方向全長に亘って同一太さとされていることを特徴としている。
この構成によれば、クラブヘッドによるボールのインパクト位置の高さ方向の変動に対し、支柱部の変形抵抗をほぼ一様とすることができる。
本考案の前記支柱部は、高さ方向の上部が細く、下部が太くされ、その際、上端から下端に向けて次第に太くされ、又は、途中から下方が太くされていることを特徴としている。
【００１６】
この構成によれば、支柱部を長くしてクラブヘッドによるボールのインパクト時、該クラブヘッドによる基部を叩く可能性を少なくしつつ、支柱部の支持強度（座屈強度）を材料力学的に合理的に設定して材料使用量の削減が図れ、また、ゴルフボールを支持する支柱部の上部の変形抵抗を減少させることができる。
また、本考案の前記支柱部は、下端が環状の基部の上端の径方向肉厚とほぼ同一の太さとされていることを特徴としている。
この構成によれば、基部及び支柱部を一体に成形するための金型の製作を容易化することができる。
【００１７】
また、本考案の前記軟質材料は、シリコンゴムとされていることを特徴としている。
この構成によれば、シリコンゴムからなる本考案のゴルフ用ティーの基部及び支柱部が自然に分解して無機物資源と有機物資源に還元されるため、環境を汚染する心配がない。
【００１８】
【考案の実施の形態】
以下、本考案の実施の形態を図面に基いて説明する。
図１の（Ａ）（Ｂ）は、本考案のゴルフ用ティーの第１の実施形態の縦断側面図と平面図である。この第１の実施形態では、中心部に硬質材料製のピン１を嵌挿するための貫通孔２を有する基部３と、基部３の上面周囲に立設された複数本の支柱部４とからなり、基部３及び支柱部４が軟質材料で一体に構成されている。
【００１９】
前記ピン１は、地面に差し込むために下端が尖鋭とされ、上部にピン径より大径の頭部１ａが形成され、該頭部１ａの下面が円錐座面形状とされ、全体が硬質樹脂、硬質木材、金属等の硬質材料で製作されている。このピン１は、市販のゴルフ用ティーをそのまま使用し得る。
前記基部３及び支柱部４を構成する軟質材料としては、弾力性のある合成樹脂、各種ゴム全般の中から適宜選択使用することができるが、環境対策としては、シリコンゴム（ゴム硬度は例えば、７５°とされるが、これに制約されない）を使用するのが好ましい。
【００２０】
前記基部３は、環状とされ、貫通孔２が下向きに縮径するほぼ円錐状とされている。これは、ピン１の頭部１ａの下面の円錐座面形状に適合させるためである。本実施形態では、基部３の上部外径が１８ｍｍとされ、基部の高さが１０．５ｍｍとされ、貫通孔２の上部内径が１０ｍｍとされ、貫通孔２の下部内径が４．５ｍｍとされ、貫通孔２の内周面を半径３０ｍｍの凸円弧状面として市販のピン１の頭部１ａの円錐状下面を圧迫保持するように構成している。
前記支柱部４は、前記貫通孔２の中心から同一半径上に周方向等間隔で設けられており、第１の実施の形態では、基部３の上面に１４．５ｍｍのピッチサークル上に、太さ３．５ｍｍの円柱形状としたものを、９０°間隔で４本設けた場合を示している。また、支柱部４の高さは、各々同一とされ、上面４ａが各支柱部４の配列中心部に向けて低くなる傾斜面（水平面に対して、４０°とした場合を例示しているが、他の角度としてもよい）とされている。また、前記支柱部４は、第１実施形態では、２５ｍｍの高さとした場合を例示しているが、この高さは、５ｍｍ〜４０ｍｍの範囲内、好ましくは、１０ｍｍ〜２５ｍｍの範囲内とすればよい。なお、前記支柱部４は、高さ方向全長に亘って同一太さとされたものを例示しているが、前記支柱部４は、高さ方向の上部が細く、下部が太くされ、その際、上端から下端に向けて次第に太くされ、又は、途中から下方が太くされていてもよい。また、前記支柱部４は、下端が環状の基部３の上端の径方向肉厚とほぼ同一の太さとされている場合を例示しているが、これに制約されない。
【００２１】
図２は、本考案のゴルフ用ティーの第２実施形態の縦断側面図を示すもので、この実施形態は、基部３の外周面が下部に向けて縮径する円錐テーパー面とされ、第１実施形態の基部３の外周面のように下部を円弧面乃至球面としたものと相違しているが、他の構成は第１実施形態とほぼ同一である。
図３は、本考案のゴルフ用ティーの第３実施形態の縦断側面図を示すもので、この実施形態は、基部３の内周面上部に前記ピン１の頭部１ａの抜け止め係止用の環状凸部３ａを設けた点で第１実施形態と相違しているが、他の構成は第１実施形態とほぼ同一である。なお、環状凸部３ａの径方向突出寸法は、１ｍｍ、軸方向寸法を１ｍｍとした場合を例示しているが、これに制約されない。
【００２２】
図４の（Ａ）（Ｂ）（Ｃ）（Ｄ）は、本考案のゴルフ用ティーの別の実施形態を示す平面図で、前記第１〜第３実施形態が支柱部４を４本としていたのに対し、支柱部４をそれぞれ、３本、５本、６本、８本とした場合を示している。なお、支柱部４は、上記本数以外の適宜の複数本とすることができる。
上記各実施形態のゴルフ用ティーは、図５に示すように、市販のピン１等を利用して地面５に突き刺して使用し、ゴルフボール６を支柱部４の上面に載置して、クラブヘッド７で打って飛ばすものである。この場合、ゴルフボール６を支持する支柱部４が、円筒状のように環状に連続したものではなく、また、一本の円柱状のものでもなく、周方向に複数本に分割離隔して立設配置されているので、クラブヘッド７によるボール６のインパクト時の変形抵抗を極力少なくしてエネルギーロスを減らし、飛距離を延ばすとともに、クラブヘッド７の振り抜き抵抗も減少させて、ボール６の飛翔方向の方向性の狂いを少なくすることができる。
【００２３】
以上、本考案の好適な複数の実施形態を述べてきたが、本考案は、これらの実施形態にのみ限定されるものではなく、これらと同等の目的、機能、作用効果が得られる他の変形実施形態も本考案の実用新案登録請求の範囲に含まれるものであって、例えば、支柱部４は、円柱状以外の角柱状その他の形状としてもよく、基部３の外形も、円環状以外に正方形や正多角形としてもよく、支柱部４の上面４ａも円弧状面としてもよい。
【００２４】
【考案の効果】
本考案のゴルフ用ティーによれば、ゴルフボールを支持する支柱部が、円筒状のように環状に連続したものではなく、また、円柱状のものでもなく、周方向に複数本に分割離隔して立設配置されているので、クラブヘッドによるボールのインパクト時の変形抵抗を極力少なくしてエネルギーロスを減らし、飛距離を延ばすとともに、クラブヘッドの振り抜き抵抗も減少させて、ボールの方向性の狂いを少なくし得る。
【図面の簡単な説明】
【図１】（Ａ）（Ｂ）は、本考案のゴルフ用ティーの第１の実施形態の縦断側面図と平面図である。
【図２】本考案のゴルフ用ティーの第２の実施形態の縦断側面図である。
【図３】本考案のゴルフ用ティーの第３の実施形態の縦断側面図である。
【図４】（Ａ）（Ｂ）（Ｃ）（Ｄ）は、本考案のゴルフ用ティーの別の実施形態を示す平面図である。
【図５】本考案のゴルフ用ティーの使用状態例を示す概略側面図である。
【符号の説明】
１　　ピン
１ａ　頭部
２　　貫通孔
３　　基部
３ａ　環状凸部
４　　支柱部
４ａ　上面
５　　地面
６　　ゴルフボール
７　　クラブヘッド
【図１】
0003097281.tif 000003
【図２】
0003097281.tif 000004
【図３】
0003097281.tif 000005
【図４】
0003097281.tif 000006
【図５】
0003097281.tif 000007